(57)【特許請求の範囲】
【請求項１】
第１のガイドレール側に仮設置される位置調整基準線と係合する第１の切欠き部と前記第１のガイドレールと嵌合する嵌合部を備え、前記第１のガイドレールと第２のガイドレールを結ぶ直線に対して一方の側にある第１の腕部と、
前記第２のガイドレール側に仮設置される位置調整基準線と係合する第２の切欠き部と前記第２のガイドレールと嵌合する嵌合部を備え、前記第１のガイドレールと前記第２のガイドレールを結ぶ直線に対して前記第１の腕部の反対側にある第２の腕部と、
前記第１の腕部と前記第２の腕部を連結する連結部とを
備えることを特徴とするレール位置調整用ゲージ。
【請求項２】
前記第１の腕部と前記第２の腕部は、前記一対のガイドレールを結ぶ直線の中点を対象中心として点対称位置にあることを特徴とする請求項１に記載のレール位置調整用ゲージ。
【請求項３】
前記連結部は、前記第１の腕部および前記第２の腕部を固定する固定穴および回動自在に支持する回動支持部を備えることを特徴とする請求項１または請求項２に記載のレール位置調整用ゲージ。
【請求項４】
前記連結部は、前記第１のガイドレールと前記第２のガイドレールを結ぶ直線に対して水平方向に第１の腕部および第２の腕部を連結可能な複数の固定穴を有し、
前記一対のガイドレールと嵌合する間隔を変更できることを特徴とする請求項１から請求項３の何れか一項に記載のレール位置調整用ゲージ。
【請求項５】
第１の切欠き部を投影する第１の投影ミラーと、
第２の切欠き部を投影する第２の投影ミラーと、
前記第１の投影ミラーの投影像を反射する鏡および前記第２の投影ミラーの投影像を反射するミラーを有する投影像視認部と
を備えることを特徴とする請求項１から請求項４の何れか一項に記載のレール位置調整用ゲージ。
【発明の詳細な説明】
【技術分野】
【０００１】
本実施形態は、エレベータの据付けに用いる、ガイドレールの位置調整用ゲージに関する。
【背景技術】
【０００２】
エレベータ装置の乗りカゴ及び釣合錘は、それぞれ昇降路内に設けられる左右一対のガイドレールに案内されて昇降を行う。ガイドレールは昇降路の底部から頂部にわたり正確に位置決めして固定する必要がある。ガイドレールの位置決めには、一般に仮設置した位置調整基準線とレール位置調整用ゲージを用いて行われる。
【０００３】
図５に示すように、一般的なレール位置調整用ゲージ１００は、一対のガイドレール１a、１bと篏合するレール篏合部２a、２bと、レール篏合部２a、２bに設けられる切欠き部３a、３bと、レール篏合部２a、２bを直線的に繋ぐ腕部４から構成される。位置決めは、レール篏合部２a、２bをガイドレール１a、1ｂに固定し、位置調整基準線として予め昇降路の頂部と底部にそれぞれ設けたテンプレート間で鉛直方向に延びる複数のピアノ線の位置に切欠き部３a、３bを合わせることにより行っていた（例えば特許文献１など参照）。
【先行技術文献】
【特許文献】
【０００４】
【特許文献１】特開２００１−１６３５４９号公報
【発明の概要】
【発明が解決しようとする課題】
【０００５】
上記のようなレール位置調整用ゲージ１００は、レール篏合部２a、２bが腕部４により直線的に繋がれているため、ゴンドラ工法でガイドレール１a、１bの据付を行う場合、図６（a）のように、ゴンドラ２００の位置によってはゴンドラの天井を支えるゴンドラ支柱２０１と腕部４が干渉してしまい、使用できないという不具合があった。
【０００６】
このような不具合を解消する案としては、例えば、図６（b）に示すように、ゴンドラ支柱２０１を回避できるだけの寸法まで腕部４をオフセット（ずらす）させた構成とした位置調整用ゲージ１０１が考えられる。しかし、レール位置調整用ゲージ１０１のように、腕部４をゴンドラ支柱２０１から回避できるだけ寸法をずらした場合、ガイドレール１aとガイドレール１bを結ぶ直線（一点鎖線Ａ）に対してレール位置調整用ゲージ１０１を取り付けた側への重心の偏りが、従来のレール位置調整用ゲージ１００に比べて大きくなり、レール位置調整用ゲージをガイドレール１a、１bに固定したまま位置調整（位置決め）する際に支障をきたすことが考えられる。また、ゲージ自体が大型化し、作業中の取り扱い、収納、保管等の観点から好ましくない。
【０００７】
本発明は、上記課題に対しなされたもので、その目的は、ゴンドラ工法によるガイドレールの据付けに好適に使用することができる位置調整用ゲージを提供することにある。
【課題を解決するための手段】
【０００８】
上記目的を達成するために、本実施形態に係るレール位置調整用ゲージは、第１のガイドレール側に仮設置される位置調整基準線と係合する第１の切欠き部と上記第１のガイドレールと嵌合する嵌合部を備え、上記第１のガイドレールと第２のガイドレールを結ぶ直線に対して一方の側にある第１の腕部と、上記第２のガイドレール側に仮設置される位置調整基準線と係合する第２の切欠き部と上記第２のガイドレールと嵌合する嵌合部を備え、上記第１のガイドレールと上記第２のガイドレールを結ぶ直線に対して上記第１の腕部の反対側にある第２の腕部と、上記第１の腕部と前記第２の腕部を連結する連結部とを備えることを特徴とする。
【発明の効果】
【０００９】
本発明のレール位置調整用ゲージによれば、好適にゴンドラ工法によるガイドレールの据付けを行うことができる。
【図面の簡単な説明】
【００１０】
【図１】第１の実施形態に係るレール位置調整用ゲージを示す図である。
【図２】第２の実施形態に係るレール位置調整用ゲージを示す図である。
【図３】第３の実施形態に係るレール位置調整用ゲージを示す図である。
【図４】第４の実施形態に係るレール位置調整用ゲージを示す図である。
【図５】ガイドレールと従来のレール位置調整用ゲージの関係を示す図である。
【図６】従来のレール位置調整用ゲージと、ゴンドラ支柱との関係を示す図である。
【発明を実施するための形態】
【００１１】
以下、本実施形態のレール位置調整用ゲージについて、図１から図４を参照して詳細に説明する。なお、以下で説明する実施の形態は本発明の一例に過ぎず、各部の構成は、本発明の趣旨を達成できるものであれば、その範囲で適宜変更や修正を行えることは勿論である。また、第２から第４の実施形態の説明においては、第１の実施形態と異なる部分について主に説明し、共通する部分については同一の符号を付して詳細な説明を割愛する。
【００１２】
図１は、第１の実施形態に係るレール位置調整用ゲージ１０の上面図を示している。図１に示すように、レール位置調整用ゲージ１０は、第１のガイドレール１aおよび第１のガイドレール１aに対向する第２のガイドレール１bにそれぞれ嵌合するレール嵌合部２a、２bと、位置調整基準線と係合する第１および第２の切欠き部３a、３ｂと、レール嵌合部２a、２bを一端に備える第１および第２の腕部４a、４bと、第１および第２の腕部４a、４ｂの他端どうしを連結する連結部５を備える。
【００１３】
レール嵌合部２a、２bは同様の構成であるため、レール嵌合部２aを例に説明する。
【００１４】
レール嵌合部２aは、断面Ｔ字形状の第１のガイドレール１aの突起部側面１１aに当接する翼状の本体部２１aと、第１のガイドレール１aと第２のガイドレール１bを結ぶ直線（一点鎖線Ａ）に対して本体部２１aの位置と反対側に突出し、且つ第１のガイドレール１a側へ鈍角に折れ曲がったへ字形状の突出部２２aと、突出部２２aの先端付近に取り付けられ、第１のガイドレール１aと係合する断面コ字状の凹部が形成された係合部２３aを備える。レール嵌合部２aとレール嵌合部２bは、第１のガイドレール１aと第２のガイドレール１bを結ぶ直線に対して、互いに逆向きに第１のガイドレール１aと第２のガイドレール１bに嵌合する。
【００１５】
第１および第２の切欠き部３a、３ｂは、断面略Ｕ字形、或いは断面略Ｖ字形であり、レール嵌合部２a、２bに形成されている。ガイドレール据え付けの際は、第１のガイドレール1a側と第２のガイドレール１b側に予め仮設置したピアノ線等の位置調整基準線と、それぞれ第１の切欠き部３a、第２の切欠き部３bとを係合させ、据え付けるガイドレールの位置を決める。
【００１６】
第１および第２の腕部４a、４ｂは、第１のガイドレールと第２のガイドレールを結ぶ直線と略水平方向に延びる矩形状の部材であり、腕部４a、４bの一端にはレール嵌合部２a、２bが取り付けられており、第１および第２の腕部４a、４ｂの他端は連結部５を介して連結されている。腕部４aは、第１のガイドレール１aと第２のガイドレール１bを結ぶ直線に対して一方の側に位置しており、腕部４bは、他方の側に位置している。特に、腕部４a、４bの位置が第１のガイドレール１aと第２のガイドレール１bを結ぶ直線上の中点を対象中心として、点対称位置であることが好ましい。
【００１７】
連結部５は、矩形状の部材であり、その一端には腕部４aが取り付けられ、他端には腕部４bが取り付けられる。即ち、連結部５は、第１のガイドレールと第２のガイドレールを結ぶ直線に対して斜めに位置している。なお、腕部４a、４ｂと連結部５には、互いを固定するための固定穴６を有しており、ボルト等の固定部材により固定される。
【００１８】
第１の実施形態のレール位置調整用ゲージ１０は、腕部４a、４bをゴンドラの支柱と干渉することがない寸法までずらすと共に、腕部４aの位置は、第１のガイドレール１aと第２のガイドレール１bを結ぶ直線に対して腕部４bの位置の反対側となるため、上記したレール位置調整用ゲージ１０１に比べて、ガイドレール１a、１bへかかる重量のバランスが改善され、好適にゴンドラ工法によるガイドレールの据付け作業に用いることができる。
【００１９】
図２は、第２の実施形態に係るレール位置調整用ゲージ２０を示している。なお、図２（a）は、第２の実施形態に係るレール位置調整用ゲージ２０がガイドレールと嵌合している状態を示す上面図であり、図２（b）は、図２（a）におけるレール位置調整用ゲージ２０を畳んだ状態を示す図である。
【００２０】
第２の実施形態に係るレール位置調整用ゲージ２０は、収納、保管等を考慮し、第１の実施形態に係るレール位置調整用ゲージ１０を折りたたみ可能としたものである。
【００２１】
図２に示すように、第２の実施形態に係るレール位置調整用ゲージ２０は、第１の実施形態に係るレール位置調整用ゲージ１０における腕部４a、４bと連結部５とを固定する固定穴６の他に、腕部４a、４bと連結部５が回動可能（矢印Ｑ）となるように支持する回動支持部７を備えた構成である。なお、図２において、第２の実施形態に係るレール位置調整用ゲージ２０の連結板４aに設けられる固定穴６と回動支持部７を結ぶ直線は、第１のガイドレール１aと第２のガイドレール1bを結ぶ直線と平行の関係となっているが、これに限定されず、また、固定穴６と回動支持部７の位置は逆になっていてもよい。
【００２２】
第２の実施形態に係るレール位置調整用ゲージ２０を使用する場合、腕部４a、４bの固定穴６と連結板５aの固定穴６を合わせ、ボルトナット等の固定具により固定する。一方、使用しない場合は固定穴５から固定具を取り外すことで、回動支持部６を回動中心としてレール位置調整用ゲージ２０を折りたたむことができる。
【００２３】
図３は、第３の実施形態に係る位置調整用ゲージ３０を示している。なお、図３（a）は、ガイドレールと嵌合している状態を示す上面図であり、図３（b）は、図３（a）におけるガイドレールの間隔とは異なるガイドレールに適用した場合の図を示す。
【００２４】
第３の実施形態に係る位置調整用ゲージ３０では、据付けるガイドレールの間隔に合わせることができる構成としたものである。
【００２５】
図３に示すように、第３の実施形態に係るレール位置調整用ゲージ３０は、腕部４a、４bと連結部５bに複数の固定穴６aを備える。複数の固定穴６aは、第１のガイドレールと第２のガイドレールを結ぶ直線に対して水平方向に所定の間隔で設けられている。
【００２６】
腕部４a、４bと連結部５bの固定穴６aの固定箇所を変更することによりレールガイドレール間隔の異なるガイドレールの据え付けに対応できる。
【００２７】
一般にガイドレールの間隔はエレベータ装置の機種ごとに異なっており、ガイドレールの据え付けにはガイドレール間隔ごとのレール位置調整ゲージで対応していたが、第３の実施形態に係るレール位置調整用ゲージ１つで、ガイドレール間隔が異なる据付けに対応することができる。
【００２８】
図４は、第４の実施形態に係るレール位置調整用ゲージ４０を示している。
【００２９】
従来のレール位置調整用ゲージ１００を用いる場合、作業員は、位置調整基準線と切欠き部３a、３bとの係合をそれぞれ第１のガイドレール１a側と第２のガイドレール１b側において確認しなければならず、さらに本実施形態に係るレール位置調整用ゲージを用いる場合、第１のガイドレール１a側の切欠き部３aと第２のガイドレール１b側の切欠き部３bの位置は、第１のガイドレールと第２のガイドレールを結ぶ直線に対して反対の位置となるため、位置調整用基準線と第１の切欠き部３a、第２の切欠き部３bとの係合確認作業がより煩雑となる。
【００３０】
そこで、第４の実施形態に係る位置調整用ゲージ４０では、ガイドレール据え付けの位置調整の際に第１のガイドレール１a側と第２のガイドレール１b側の位置調整用基準線と切欠き部３a、３bとの係合を一か所で確認できる構成としたものである。
【００３１】
図４に示すように、第４の実施形態に係る位置調整用ゲージ４０は、第１の切欠き部３a、第２の切欠き部３bを投影する投影ミラー７a、７bをレール嵌合部２a、２bに設け、ミラー７a、７ｂの投影された像を反射する反射ミラー７ｃと、反射ミラー７ｃから得られる投影像を確認する反射ミラー７ｄを備えた投影像視認部８を連結部４ｃに設けた構成となっている。ガイドレール据え付けの際、第１のガイドレール１a側の位置調整基準線と第１の切欠き部３aの係合状態は、投影ミラー７a、反射ミラー７cを介して投影像視認部８内の反射ミラー７１ｄに投影される。また、第２のガイドレール１b側の位置調整基準線と第２の切欠き部３bの係合状態は、投影ミラー７b、反射ミラー７ｃを介して投影像視認部８内の確認用ミラー７２ｄに投影される。
【００３２】
このような構成により、ガイドレールの位置調整（芯出し）の際にレール位置調整用ゲージ両端の第１の切欠き部３aおよび第２の切欠き部３bと位置調整用基準線とのそれぞれの係合状態を投影像視認部８にて一度に確認することができる為、作業員の移動距離を少なくし、作業負荷の軽減を図ることができる。
【符号の説明】
【００３３】
１…  ガイドレール
２…  レール嵌合部
３…  切欠き部
４…  腕部
５…  連結部
６…  固定穴
７…  回動支持部
８…  ミラー
９…  投影像視認部
１０、２０、３０、４０、１００、１０１…  レール位置調整用ゲージ
２００…  ゴンドラ
２０１…  ゴンドラ支柱
【図１】
0005518939.tif 000002
【図２】
0005518939.tif 000003
【図３】
0005518939.tif 000004
【図４】
0005518939.tif 000005
【図５】
0005518939.tif 000006
【図６】
0005518939.tif 000007